(57)【要約】【課題】廃棄時の分別を要せず、また、環境汚染を抑止することができる収容袋を提供する。【解決手段】収容袋１は、紙製の第１シート４とグラシン紙である第２シート５とが重ねられ、各シート４，５の縁部６が接着剤で貼り付けられたことで袋状に形成され、表側に被収容対象が収容される収容部２を有している。【選択図】図１
0003234574.tif 000002
【実用新案登録請求の範囲】
【請求項１】
表側に、被収容対象が収容される収容部を有し、裏側に、被貼付対象に貼り付けられる貼り付け部を有する収容袋であって、
前記収容部が、
第１シートと、
前記第１シートの表側に重ねられた第２シートと、を有し、
前記第１シートが、紙製であり、
前記第２シートが、透明な紙製である、
ことを特徴とする収容袋。
【請求項２】
前記第１シートが、タック紙であり、
前記第２シートが、グラシン紙である、
ことを特徴とする請求項１に記載された収容袋。
【請求項３】
前記第２シートの不透明度が、５から２０パーセントである、
ことを特徴とする請求項１又は請求項２に記載された収容袋。
【請求項４】
前記第２シートが、
前記収容部に通じて前記被収容対象が通される開口部を有する、
ことを特徴とする請求項１から請求項３のいずれか１項に記載された収容袋。
【請求項５】
前記第２シートが、
貼付対象が貼り付けられる部位として区画された貼付区域を有する、
ことを特徴とする請求項１から請求項４のいずれか１項に記載された収容袋。
【考案の詳細な説明】
【技術分野】
【０００１】
本考案は、被収容対象を収容するための収容袋に関するものである。
【背景技術】
【０００２】
従来、荷物を発送する際、例えば、内容物の納品明細書、請求書、案内文等（以下、「書類」と記す。）を添付する場合、デリバリーパックが用いられている。このデリバリーパックは、書類が収容され、荷物の外装である箱の外面に貼り付けられる。デリバリーパックによれば、受取人は、開梱する前に書類を確認することができる。したがって、一般的に、デリバリーパックは、書類が視認できるよう、表面に、透明なシートが用いられている。例えば、下記特許文献１に記載された収納袋（以下、「公知文献１発明」と記す。）は、表面が、透明な樹脂フィルムで構成されている。
【先行技術文献】
【特許文献】
【０００３】
【特許文献１】登録実用新案第３１５０８５９号公報
【考案の概要】
【考案が解決しようとする課題】
【０００４】
しかし、樹脂フィルムはプラスチック製であるため、廃棄の際、紙等と分別する必要がある。特に、紙製の粘着ラベル等の伝票が樹脂フィルムに貼り付けられていた場合、樹脂フィルムから伝票を剥がすことは、困難である。
【０００５】
本考案は、この様な実情に鑑みて提案されたものである。廃棄時の分別を要せず、また、環境汚染を抑止することができる収容袋の提供を目的とする。
【課題を解決するための手段】
【０００６】
上記目的を達成するために、本考案に係る収容袋は、表側に、被収容対象が収容される収容部を有し、裏側に、被貼付対象に貼り付けられる貼り付け部を有する収容袋であって、前記収容部が、第１シートと、前記第１シートの表側に重ねられた第２シートと、を有し、前記第１シートが、紙製であり、前記第２シートが、透明な紙製である、ことを特徴とする。
【０００７】
本考案に係る収容袋は、前記第１シートが、タック紙であり、前記第２シートが、グラシン紙であることが好ましい。
【０００８】
本考案に係る収容袋は、前記第２シートの不透明度が、５から２０パーセントであることが好ましい。
【０００９】
本考案に係る収容袋は、前記第２シートが、前記収容部に通じて前記被収容対象が通される開口部を有することが好ましい。
【００１０】
本考案に係る収容袋は、前記第２シートが、貼付対象が貼り付けられる部位として区画された貼付区域を有することが好ましい。
【考案の効果】
【００１１】
本考案に係る収容袋は、収容部が、第１シートと、第１シートの表側に重ねられた第２シートとを有し、第１シートが紙製であり、第２シートが透明な紙製である。すなわち、収容袋は、収容部の表側である透明な第２シートも含めて紙製であるため、廃棄時の分別を要しない。また、第２シートが透明であるため、従来どおり、受取人は、被収容対象を視認することができる。更に、プラスチック製のフィルムが用いられていないため、プラスチック製品の廃棄による環境汚染を抑止することができる。
【図面の簡単な説明】
【００１２】
【図１】図１は、本考案の実施形態に係る収容袋の表側の斜視図である。
【図２】図２は、本考案の実施形態に係る収容袋の裏側の斜視図である。
【図３】図３は、本考案の実施形態に係る収容袋の分解斜視図である。
【考案を実施するための形態】
【００１３】
本考案の実施形態に係る収容袋は、被収容対象としての納品明細書、請求書、案内文、伝票、商品サンプル等が収容され、荷物の外装である被貼付対象としての箱等の外面に貼り付けられるものである。以下に、本実施形態に係る収容袋を図面に基づいて説明する。図１ないし３は、収容袋１が示されている。なお、以下では、図１に示されているとおり、収容袋１の厚み方向を、表側又は裏側とし、長手方向を、上方又は下方とし、横幅方向を、左方又は右方とする。図１は、表側から視した収容袋１が示され、図２は、裏側から視した収容袋１が示され、図３は、収容袋１の積層構造が示されている。
【００１４】
図１ないし３に示されているとおり、収容袋１は、長方形の扁平な袋であって、表側に、被収容対象（図示省略。）が収容される収容部２を有し、裏側に被貼付対象に貼り付けられる貼り付け部３を有している。収容部２は、第１シート４の表側に第２シート５が重ねられ、各シート４，５の縁部６が接着剤で貼り付けられたことで、袋状に形成されている。なお、収容袋１の形状は任意であり、正方形等であってもよい。
【００１５】
第１シート４は、紙製であり、具体的にはタック紙である。タック紙は、裏側に粘着剤が含浸された基材７、及び、この基材７の裏側に貼り付けられた離型紙８から構成されている。第２シート５は、紙製であり、具体的にはグラシン紙である。第２シート５は、透明であり、不透明度（ＪＩＳ  Ｓ  ５５０２：２０１０  封筒）が、例えば５から２０パーセント、好ましくは、１６パーセント以下である。第２シート５が透明であるため、第２シート５を通じて、収容部２の内側が視認できる。
【００１６】
第２シート５の一部には、スリットが形成され、このスリットによって、収容部２の内側に通じて被収容対象が通される開口部９が形成されている。開口部９は、第２シートのうち、上方部の右方部に形成されている。なお、スリットが形成されず、縁部６に、接着剤で貼り付けられていない部位を設けることで、開口部を構成してもよい。
【００１７】
第２シート５の左方部は、被収容対象とは別に、被収容対象以外の情報が記載された貼付対象（図示省略。）が貼り付けられる部位として区画された貼付区域１０を有している。貼付区域１０には、例えば、粘着ラベル等の貼付対象が貼り付けられる欄であることが、文字や図形等で示されている。なお、第２シート５は透明であるため、文字や図形等は、第１シート４に示されていても、第２シート５を通して視認できる。
【００１８】
以上のとおり、収容袋１が構成されている。次に、収容袋１の使い方及び効果を説明する。
【００１９】
図１において、開口部９から、収容部２に被収容対象が収められる。離型紙８が、第１シート４の基材７から剥がされると、基材７の粘着層が露出する。この状態で、収容袋１が、被貼付対象に貼り付けられる。また、貼付対象である紙製の粘着ラベル等がある場合、貼付対象は、貼付区域１０に直接貼り付けられる。
【００２０】
収容袋１は、収容部２の表側である透明な第２シート５も含めて紙製であるため、廃棄時の分別を要しない。紙製の粘着ラベル等の貼付対象が、第２シート５に貼り付いて、剥がすことが困難な場合であっても、そもそも第２シート５が紙製であって、紙製の貼付対象と同質の素材であるため、貼付対象を剥がして分別する必要がない。また、紙製であるため、リサイクルに資する。
【００２１】
第２シート５は、透明であるため、従来どおり、受取人は、被収容対象を視認することができる。具体的には、不透明度が５から２０パーセント程度であるため、第２シート５が良好に透けて、被収容対象を確認できるし、例えば、被収容対象にバーコードが印字されていた場合であっても、第２シート５を通じて、バーコードを読み取ることが可能である。
【００２２】
収容袋１は、第１シート４も第２シート５も紙製であって、生分解性を有しているため、自然に還る。したがって、仮に、土壌、河川や海洋に廃棄された場合であっても、環境汚染とはならない。換言すれば、収容袋１は、プラスチック製のフィルムが用いられていないため、プラスチック製品の廃棄による環境汚染を抑止することができる。なお、プラスチックは、有限の資源である石油を主原料とした加工品であり、土壌、河川や海洋でも分解されず、半永久的に残存してしまう。
【００２３】
なお、セルロースを主原料としたセロハンも、生分解性を有しているが、紙やプラスチックとしてリサイクルすることができないため、可燃ごみとして廃棄する必要があり、リサイクルに資さない。
【００２４】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００２５】
１    収容袋
２    収容部
３    貼り付け部
４    第１シート
５    第２シート
６    縁部
７    基材
８    離型紙
９    開口部
１０  貼付区域
【図１】
0003234574.tif 000003
【図２】
0003234574.tif 000004
【図３】
0003234574.tif 000005